(57)【要約】 【課題】線状材を繰り出すとともに自動的に水平方向にずらすことができる簡易な構造の蔓植物栽培装置及びこれを用いた効率的で省力化の計れる蔓植物栽培方法を得ること。【解決手段】線状材が巻回されたボビンと、上方に架設された軌道を移動可能にかつ前記ボビンと一体的に回転する車輪と、前記ボビンと前記車輪を支持する支持体と、前記車輪を適位置に停止させる車輪停止具と、前記支持体の下方に配設され前記線状材の繰り出しを緩衝させる緩衝構成体とを具備し、前記線状材が前記緩衝構成体を介して下降し蔓植物の蔓が固定されるようにした蔓植物栽培装置及びこれを用いた蔓植物栽培方法。【選択図】  図１
2007282558.tif 000002
【特許請求の範囲】
【請求項１】
線状材が巻回されたボビンと、上方に架設された軌道を移動可能にかつ前記ボビンと一体的に回転する車輪と、前記ボビンと前記車輪を支持する支持体と、前記車輪を適位置に停止させる車輪停止具とを具備したことを特徴とする蔓植物栽培装置。
【請求項２】
支持体の下方に線状材の繰り出しを緩衝させる緩衝構成体を配設し、前記線状材が前記緩衝構成体を介して下降し蔓植物の蔓が固定されるようにしたことを特徴とする請求項１記載の蔓植物栽培装置。
【請求項３】
ワイヤ又はレール上を回転して移動する車輪と、線状材が巻回されたボビンとを着脱可能に一体的に支持体に支持すると共に、前記支持体の下方に前記線状材が螺旋状に巻回された胴体を配設し、前記線状材が前記胴体下部に形成されたガイドスリットを通じて蔓植物の蔓に固定するようにしたことを特徴とする請求項１又は２に記載の蔓植物栽培装置。
【請求項４】
緩衝構成体が下部にガイドスリットを形成し、線状材が螺旋状に巻回される胴体であり、ボビンは一端に円筒状摺動部、短冊状羽が突設された小ドラム及び軸部が配設されて支持体の間に車輪を介在させて該車輪と一体的に回転するように構成されたことを特徴とする請求項２に記載の蔓植物栽培装置。
【請求項５】
線状材はループ状に形成され、車輪が軌道上を移動すると同時に繰出しと回収を行うようにボビンに保持され、前記線状材の下降側に蔓植物の蔓を固定し、ループ状下端近傍で前記蔓の固定を解除して前記線状材を反復使用するようにしたことを特徴とする請求項１又は２に記載の蔓植物栽培装置。
【請求項６】
軌道に沿って移動可能な車輪と一体的に回転する線状材が巻回されたボビンから緩衝構成体を介して下降する前記線状材に蔓植物の蔓を固定し、前記蔓の成長に従って前記車輪を移動して前記蔓植物の高さを調整するようにしたことを特徴とする蔓植物栽培方法。
【請求項７】
線状材はボビンから解舒される下降部分と、畝面近傍で前記下降部分とループ状に形成されて上昇し上端末が前記下降部分の上端末と連結し前記ホビンに巻回される上昇部分とよりなり、前記線状材の下降部分には蔓植物の蔓を固定し且つ前記上昇部分には前記蔓の固定を解除して前記線状材を循環して反復使用することを特徴とする請求項６に記載の蔓植物栽培方法。
【発明の詳細な説明】
【技術分野】
【０００１】
本発明は、蔓を有する植物例えばトマト等の栽培装置及びこれを用いた蔓植物栽培方法の改良に関する。
【背景技術】
【０００２】
トマト等の蔓を有する植物の栽培は、紐又はロープに蔓を絡ませ蔓を立てて成長させるのが最も高品質のものが収穫できる。蔓は一本で一年中成長が続いて収穫可能なので、伸びる分だけ下に降ろす必要がある。それをそのままにしておくと、収穫物が作業者の目の高さを超えてしまうので、手作業では腕を伸ばしたり、背伸びをしたり、踏み台を使用したり等によらなければならない。
これに対応するため、例えば下記特許文献に記載のものがある。特許文献１には、スプール８に巻付けた作物支持コード９を、スプール８を回転させて繰り出す作物の取り木装置が提案されている。
又特許文献２にはリール１１に巻回されたつる巻付け紐５をワンタッチで所定長さ下降させ伸ばすためのつる巻付け紐支持具が提案されている。
【０００３】
【特許文献１】特開昭５５−１３８３３５号公報
【特許文献２】特開２０００−３２４９５５号公報
【発明の開示】
【発明が解決しようとする課題】
【０００４】
前記特許文献に記載のものはいずれにおいても、紐に相当する作物支持コード又は巻付け紐を繰り出すことには有効であるが、紐を繰り出しただけでは下にとぐろを巻いて溜まってしまうので、手で装置と蔓植物全体を持上げて水平方向にずらす作業が必要である。 
蔓植物全体の重さは通常５〜６Ｋｇにも達し、数及び収穫頻度が多く、両手を使うので重労働である。そして、そのときのずらし移動量は目測や勘で行うので、引っ張り過ぎて根を引っ張ってしまうとか、引っ張り不足で下に紐の溜まりが残ることがあり、紐を急に降ろすと蔓が折れる等のトラブル発生が多い。
これに対し、本発明は紐等の線状材を繰り出すとともに装置と蔓植物全体を持上げることなく自動的に水平方向にずらすことができ、ずらしの移動量を所定量として、引っ張り過不足が生ぜず、線状材の下降が緩やかで蔓が折れるおそれがない、簡易な構造の蔓植物栽培装置及びこれを用いた効率的で省力化の計れる蔓植物栽培方法を得ることを目的とする。
【課題を解決するための手段】
【０００５】
この目的を達成するために、
請求項１に記載の発明にあっては、線状材が巻回されたボビンと、上方に架設された軌道を移動可能にかつ前記ボビンと一体的に回転する車輪と、前記ボビンと前記車輪を支持する支持体と、前記車輪を適位置に停止させる車輪停止具とを具備した蔓植物栽培装置により解決した。
請求項２に記載の発明にあっては、支持体の下方に線状材の繰り出しを緩衝させる緩衝構成体を配設し、線状材が該緩衝構成体を介して下降し蔓植物の蔓が固定されるようにしたことを特徴とする請求項１記載の蔓植物栽培装置とすることができる。
請求項３に記載の発明にあっては、ワイヤ又はレール上を回転して移動する車輪と、線状材が巻回されたボビンとを着脱可能に一体的に支持体に支持すると共に、前記支持体の下方に前記線状材が螺旋状に巻回された胴体を配設し、前記線状材が前記胴体下部に形成されたガイドスリットを通じて蔓植物の蔓に固定するようにした請求項１又は２に記載の蔓植物栽培装置とすることができる。
請求項４に記載の発明にあっては、緩衝構成体が下部にガイドスリットを形成し、線状材が螺旋状に巻回される胴体であり、ボビンは一端に円筒状摺動部、短冊状羽が突設された小ドラム及び軸部が配設されて支持体の間に車輪を介在させて該車輪と一体的に回転するように構成された請求項２に記載の蔓植物栽培装置とすることができる。
請求項５に記載の発明にあっては、線状材はループ状に形成され、車輪が軌道上を移動すると同時に繰出しと回収を行うようにボビンに保持され、前記線状材の下降側に蔓植物の蔓を固定し、ループ状下端近傍で前記蔓の固定を解除して前記線状材を反復使用するようにした請求項１又は２に記載の蔓植物栽培装置とすることができる。
【０００６】
請求項６に記載の発明にあっては、軌道に沿って移動可能な車輪と一体的に回転する線状材が巻回されたボビンから緩衝構成体を介して下降する前記線状材に蔓植物の蔓を固定し、前記蔓の成長に従って前記車輪を移動して前記蔓植物の高さを調整するようにした蔓植物栽培方法により解決した。
請求項７に記載の発明にあっては、線状材はボビンから解舒される下降部分と、畝面近傍で前記下降部分とループ状に形成されて上昇し上端末が前記下降部分の上端末と連結し前記ホビンに巻回される上昇部分とよりなり、前記線状材の下降部分には蔓植物の蔓を固定し且つ前記上昇部分には前記蔓の固定を解除して前記線状材を循環して反復使用する請求項６に記載の蔓植物栽培方法とすることができる。 
【発明の効果】
【０００７】
本発明の蔓植物栽培装置及び蔓植物栽培方法によれば、簡易な装置で紐等の線状材を繰り出すとともに、装置と蔓植物全体を持上げることなく自動的に水平方向にずらすことができ、ずらしの移動量を所定量とし、引っ張り過不足が生ぜず、線状材の下降が緩やかで蔓が折れるおそれがなく、効率的で省力化が計れる。
【発明を実施するための最良の形態】
【０００８】
本発明の実施の形態を図面を参照して説明する。
図１は、本発明の蔓植物栽培装置第一例の使用状態を示す概略説明図である。
図２は、図１の蔓植物栽培装置の各構成要素の分解斜視図である。
図３は、図１の蔓植物栽培装置の組立斜視図である。
図４は、図１の蔓植物栽培装置の組立図で、側面一部断面図、裏面図、及び底面図である。
図５は、本発明の蔓植物栽培装置第二例の使用状態の一部を示す概略説明図である。
図６は、図５の蔓植物栽培装置の構成要素の一部の分解斜視図である。
図７は、図５の蔓植物栽培装置の組立図で、側面図及び裏面図である。
図８は、本発明の蔓植物栽培装置第一例の他の使用状態を示す概略説明図である。
図９は、本発明の蔓植物栽培装置第一例の胴体回り変形３例を示す概略説明図で、変形第一例乃至変形第三例である。
以下においては、本発明の蔓植物栽培装置は収穫物の成長とともに略水平に車輪によって移動されるが、その車輪が転動するワイヤ又はレール等の軌道に対し、ボビンが突出する側を前側とし車輪側を後側とし、蔓植物栽培装置の移動前側を上流側とし移動後側を下流側とし、蔓植物が植えられている畝面側を下方とし軌道側を上方として、それぞれ説明する。
【０００９】
先ず図１、２を参照して、本発明の第一例の蔓植物栽培装置１の構成を説明する。
蔓植物栽培装置１は、支柱２、ボビン３、保持具４、車輪５、固着具６、車輪停止具７、及び線状材Ｓを有している。
支柱２は、下方に緩衝構成体を形成する長手の中空円筒状の胴体２１と、胴体２１の上端に固着された側面視略逆Ｕ字形の支持体２２とからなっている。胴体２１は上端部の前側には切欠面２１ｂが設けられここに支持体２２の前側片２２ａが固着され、上端部の後側には傾斜面２１ａが設けられ、傾斜面２１ａの下端部に落下防止レバー７３の挿入孔２１ｃが穿設されている。又胴体２１の下端部には端末から周面に沿って上方に傾斜するガイドスリット２１ｄが穿設され軸芯の中空部に繋がって線状材Ｓを案内している。胴体２１は必ずしも全体を中空とせず一部中実としてもよいが、少なくとも下部はガイドスリット２１ｄと連通する中空に形成されるのが安定的な線状材Ｓの案内が出来て好ましい。
支持体２２は、対向する板状の前側片２２ａ及び後側片２２ｂとが上端片２２ｃによって略逆Ｕ字形に形成され、前側片２２ａの中央部に保持具４の摺動部４７との摺動孔２２ｅが穿設され、後側片２２ｂの中央部には保持具４の軸部４６との摺動孔２２ｄが前記摺動孔２２ｅと水平同軸で穿設され、前側片２２ａの下端中央部に車輪停止具７が貫通可能な縦長スリット２２ｆが穿設されている。ここで前側片２２ａに対し、後側片２２ｂは上下長さが僅かに長目にとられている。必須の構成要素ではないが、上端片２２ｃには係止フック２２ｇが突設され、蔓植物が成長して胴体２１近傍に届くまで各係止フック２２ｇにワイヤＷを通して吊下げておくのに至便である。
【００１０】
ボビン３は、直径Ｄ２ の円筒状巻取り部３１の前後端末に鍔３２、３３付きとされ、軸芯に後述の保持具４の薄肉ドラム４２が嵌合可能な直径Ｄ１ の通し孔３４と、９０度づつ位相をずらし軸芯を通る十字の位置に軸芯と平行して刻設されている４個の細溝３５とを有し、鍔３２、３３の前後面の間隔はＬ１ にとられている。
車輪５は、ワイヤＷ上を転動する底部直径Ｄ４ のリム５１と、リム５１の前後両側に形成されているフランジ５２、５２と、軸芯に後述する固着具６が嵌合可能な通し孔５３と、９０度づつ位相をずらし軸芯を通る十字の位置に軸芯と平行して刻設されている４個の細溝５４と、図３（ａ）、図４（ｂ）に示すとおりの組立て状態で前側フランジ５２前面外周近傍位置に回転の妨げとならない高さの突起部５５を有している。
尚、突起部５５を複数個例えば２〜４個設けて後述する車輪５の停止位置を適宜調整することもできる。
【００１１】
保持具４は、後側寄りにボビン３の後側鍔３３より僅かに小径の円板状の中間板４１がおかれ、中間板４１の前側には軸芯を合わせて直径Ｄ３ の薄肉ドラム４２が突設され、薄肉ドラム４２の中間板４１と接する後端末に９０度位相をずらし軸芯を通る対称位置に軸芯と平行方向に４個の細幅の小突出片４２ａが突設されている。薄肉ドラム４２の前端に９０度づつ位相をずらし軸芯と平行して短冊状に４個の突出片４３が突設され、突出片４３の自由端上向きに小突起４３ａが形成されている。ここで、直径Ｄ３ は直径Ｄ１ に対し僅かにマイナス公差にとられ、保持具４に容易にボビン３が挿着可能とされ、中間板４１の前面と突出片４３の小突起４３ａの境までの長さはＬ１ にとられているので、保持具４前側よりボビン３を挿入したとき、小突起４３ａが前側鍔３２の前面に広がって係止され、各細溝３５に各小突出片４２ａが挿着され、ボビン３は保持具４に対し前後及び軸芯方向に移動不能にセットされる。ここでの各部直径は、Ｄ４ ＞Ｄ２ ＞Ｄ１ ＞Ｄ３ にとられてはいるが、それぞれの差異は僅少である。
他方中間板４１の後側には、軸芯に通し孔４６ａが穿設されている軸部４６回りに固着された円筒状の小ドラム４４の周囲に９０度づつ位相をずらし軸芯と平行して４個の短冊状羽４５が突設され、小ドラム４４と中間板４１の間に各短冊状羽４５の先端を僅かに超える直径で挿着孔２２ｅに摺動可能な大きさの円筒状の摺動部４７を有し、軸芯４６は挿着孔２２ｄが摺動可能な直径で後端末が後側片２２ｂと略面一になる長さにとられている。したがって、保持具４を後側より支持体２２に挿入したとき、摺動孔２２ｅに対し小ドラム４４及び各短冊状羽４５は通過し摺動部４７と摺動する位置に達して止まり、そのとき軸部４６は摺動孔２２ｄと摺動する位置に止まり、保持具４及びボビン３は一体で軸芯回りに回動可能となる。軸部４６の通し孔４６ａは後述する固着具６の薄肉小ドラム６１が嵌合可能な直径にとられている。
尚、ボビン３の鍔３３に保持具４の軸部４６、通し孔４６ａ、小ドラム４４、短冊状羽４５、摺動部４７及び中間板４１を一体に成形すれば、薄肉ドラム４２より前側の部材は省略でき、ボビン３が着脱不要の一回限りの使用のときに好適である。
【００１２】
固着具６は、軸部４６の通し孔４６ａに嵌合可能な薄肉小ドラム６１の後側には丸皿状の頭部６２が形成され、前側には１８０度位相をずらし軸芯と平行して２個の細幅の突出片６３が突設され、突出片６３の自由端上向きに小突起６３ａが形成され、通し孔４６ａに小突起６３ａから突出片６３及び薄肉ドラム小６１が貫通可能とされている。
車輪停止具７は、車輪停止レバー７１と、スプリング７２と、落下防止レバー７３とよりなっている。車輪停止レバー７１は、棒状本体７１ａとその中央部の支点７１ｂと、先端部に押圧片７１ｃと、棒状本体７１ａの支点７１ｂと反対側に僅かに幅広の指当て片７１ｄとを有している。スプリング７２は略Ｕ字形に折曲げた帯板状の板ばね製である。落下防止レバー７３は中間が僅かに折曲げられている帯板状の板ばね製である。
線状材Ｓは、天然繊維、合成繊維又は鋼の糸等を撚合わせた紐又はロープ状でボビン３の巻付け部３１に巻回されているが、耐蝕性、コスト面からは合成繊維のナイロン、ポリエステル、ビニロン、ポリエチレン、ポリプロピレン等のものが最も好適である。後述する蔓植物栽培装置１による蔓植物栽培方法の第一例では、ボビン３の巻付け部３１に通常目一杯線状材Ｓが巻回されているが、蔓植物栽培方法の第二例ではボビン３と畝面Ｒとの間をループ状に結んで循環使用されるので線状材Ｓの長さが短いという差異がある。
【００１３】
次に、図３、４も参照して蔓植物栽培装置１の組立について説明する。
先ず、支持体２２の前側片２２ａ及び後側片２２ｂ間の空隙に車輪５をおき通し孔５３の軸芯、摺動孔２２ｅ及び２２ｄの各軸芯が一線に揃う様に並べて、保持具４の後側より摺動孔２２ｅに挿着すると先ず小ドラム４４及び各短冊状羽４５が通過し、次いで４個の細溝５３に４個の短冊状羽４５をそれぞれ嵌合するように調整して通し孔５３を通過させると車輪５の後端から軸部４６が突出して摺動孔２２ｄと摺動する位置で止まり、保持具４及び車輪５は一体で支持体２２に保持される。
次いで、摺動孔２２ｄにおかれた軸部４６の通し孔４６ａに固着具６の小突起６３ａ側から押込むと、２個の突出片６３が僅かに軸芯方向に撓んで通し孔４６ａに貫通され、小突起６３ａから突出片６３及び薄肉小ドラム６１が貫通され、小突起６３ａは軸部４６の前端面に広がって係止され、頭部６２は軸部４６後端面に当接して、保持具４及び車輪５は抜出し不能にセットされる。
次いで、支持体２２の外側にある胴体２１の切欠面２１ｂに車輪停止レバー７１の支点７１ｂをスプリング７２を介して軸回りに回動可能に取付け、指当て片７１ｄに対する指による加圧操作によって押圧片７１ｃの先端がスリット２２ｆから出入り可能としている。ここで、スプリング７２を加圧しているときは押圧片７１ｃが離れて車輪５の回転は妨げられないが、加圧していないときは押圧片７１ｃが突起部５５の端に接した位置で車輪５を回転不能に保持している。落下防止レバー７３の下端部を胴体２１の挿入孔２１ｃに挿着し、支持体２２の後側片２２ｂの下端前面の僅かな切欠面との間に渡らせることにより、通常は隙間がなく予期せずに車輪５がワイヤＷから外れても下方に落下するおそれのない安全装置で、他方隙間が必要なときは落下防止レバー７３の中間部を前側に押圧して開くことができる。
最後に、ボビン３の保持具４への嵌着は、通し孔３４に保持具４を小突起４３ａ側から押込むと、４個の突出片４３が僅かに軸芯方向に撓んで通し孔３４に貫通され、薄肉ドラム４２が前から後に通し孔３４に嵌合され、更に中間板４１前面に当接して停止する。このとき通し孔３４の細溝３５のいずれかに小突出片４２ａが嵌着し、４個の小突起４３ａはホビン３の前側鍔３２の前側に飛出し突出片４３が撓んだ状態から元に復元することにより、ボビン３は保持具４に対し軸芯に対し回動及び飛出し不能状態にセットされ、ボビン３、保持具４及び車輪５は軸芯を揃えて一体で支持体２２に保持回動可能とされ、蔓植物栽培装置１の組立てが完了する。ボビン３の保持具４からの脱着は、小突起４３ａを軸芯方向に撓ませることにより容易に可能である。
前記したボビン３、保持具４及び車輪５の各構成は着脱可能であって、シーズンが変わっても再利用できるものであるが、一シーズンのみの使用であれば詳細説明は省略するが、組立て、各構成を簡略化して、前記したボビン３と保持具４を一体化すること、ボルトナット、接着などによって固着又は組立てることも可能であり、これは後述する蔓植物栽培装置１０においても同様である。
尚、組立て時において、車輪５の前方に配設されたボビン３回りの重量で前方に倒れるおそれがある場合には、車輪５の後方に突出するように調整重りを配設してバランスをとるようにするのが好ましい。
【００１４】
次に、図１、３、４を参照して蔓植物栽培装置１による蔓植物栽培方法の第一例について説明する。
図１を参照して、蔓植物栽培装置１は、下方の畝面Ｒに略平行して高さ３ｍ前後上方に略水平方向に架設されたワイヤＷに案内されて、上流側より下流側例えば本図の例では左より右に移動可能におかれる。ワイヤＷに代えてレール例えばＣ型チャンネル等の軌道となるレールを架設してもよく、このとき隣接して架設されたレールの両端を円弧状に接続して全体をループ状に形成してもよい。
図１では、一本の線状材Ｓを吊下げた蔓植物の栽培開始時と、その後蔓の伸びる分だけ線状材Ｓを下に降ろし同時に下流側に蔓植物栽培装置１を移動した態様を図示しているが、栽培開始時では上流側に線状材Ｓ１ と栽培する蔓植物苗木Ｔ１ とだけを図示し、下流側に移動した二回目の栽培時では線状材Ｓ２ 、蔓植物Ｔ２ 及び蔓植物栽培装置１を図示してある。
蔓植物栽培装置１は、先ず栽培開始時においては、係止フック２２ｇによってワイヤＷに吊り下げられ、支柱２の胴体２１がほぼ鉛直方向に懸垂状態に保持される。そして巻付け部３１に巻付けられている線状材Ｓ１ を解舒して、緩衝構成体として胴体２１回りに螺旋状に巻き付けた後、下部のガイドスリット２１ｄから胴体２１の中空部を通して下降せしめて畝面Ｒに垂らし、該畝面Ｒに植えられた蔓植物苗木Ｔ１ の蔓を線状材Ｓ１ に絡ませて成長させる。
適当な成長期間を経過した後に、落下防止レバー７３の中間部を前側に押圧して開き、車輪５のリム５１をワイヤＷ上に載せる。その時点までは、前述した車輪停止具７の押圧片７１ｂが突起部５５の端に接した位置で車輪５を回転不能に保持しているので、蔓植物栽培装置１はワイヤＷ上を車輪５が転動し暴走することはない。蔓植物の先端が胴体２１近傍に達し始めたとき、車輪停止レバー７１の指当て片７１ｄと胴体２１を指で掴んでスプリング７２に抗して押圧することにより、押圧片７１ｂによる突起部５５との接触が解除され車輪５の停止が解除されて、線状材Ｓ１ に加わる蔓植物の茎、蔓及び実の荷重でボビン３が回転開始し、ボビン３に直結している車輪５を転動せしめる。すなわちボビン３の回転による線状材Ｓ１ の解舒と車輪５の回転によるワイヤＷ上の転動とが連動して起こる。
このとき、茎、蔓及び実の荷重がもろにボビン３に伝わると、線状材Ｓ１ の下降が急過ぎて蔓が折れる恐れがあるが、胴体２１回りに螺旋状に巻き付けてあるので線状材Ｓ１ と胴体２１との摩擦によって下降速度が緩和調整される。ボビン３の回転開始後、直ぐに指当て片７１ｄと胴体２１を掴んでいた指を離し押圧を止めるとスプリング７２の反発力で押圧片７１ｃは元の位置に復元するが、押圧片７１ｃは車輪５の突起部５５のない部分と接しているので車輪５は回転しワイヤＷ上を転動し続け、丁度一回転した所で突起部５５の端に押圧片７１ｂｃ接した位置で車輪５の回転を停止し、上流側の栽培開始時の位置から距離Ｘだけ下流側の二回目の栽培時の線状材Ｓ２ 、蔓植物Ｔ２ 及び蔓植物栽培装置１の位置に移動し、この位置に保持されて二回目の成長を促す。このため二回目の蔓植物の実の収穫は上部から下がった適位置で作業することができる。
ここで、蔓植物栽培装置１を蔓植物栽培開始時の位置から下流側の二回目の栽培時の位置に移動したとき、線状材Ｓ１ と線状材Ｓ２ の間には下流側に向かって中間部分の線状材ｓが畝面Ｒ長手方向に沿って伸び、該中間部分の線状材ｓにほぼ平行して収穫を終わった蔓植物の茎状部ｔが畝面Ｒの根本Ｕから下流側に向かって伸び図１の下部に示す状態となる。この図１下部に示す根本Ｕは、蔓植物苗木Ｔ１ の畝面Ｒとの接点と、下流側に向かって伸び茎状となった蔓植物の起点とが二か所別々に記載されているが、実際は上流側の一か所である。しかし一か所に重ねて記載すると図画が輻輳し理解困難となるおそれがありここでは二か所に分けて記載してある。
蔓植物が成長して再び胴体２１近傍に達したとき、前記同様に線状材Ｓ２ 及び蔓植物Ｔ２ を下降し、蔓植物栽培装置１の位置を下流側に移動して成長を促し、以下順次同様作業を繰り返し、蔓の成長に合わせて線状材を下降させると共に逐次蔓植物栽培装置１を下流側に移動させて一年中ほぼ同じ高さで収穫することが可能である。
線状材Ｓの太さや伸縮、車輪５とワイヤＷとのスリップ、車輪５とボビン３の直径差等で僅かな差異はあるが、上流側から下流側への移動距離Ｘは、車輪５の一回転とほぼ等しく、本例では１５ｃｍ前後にとり、車輪５とボビン３の直径は５ｃｍ前後にとったが、蔓植物の品種、成育条件、施設の構成等によって選択すればよい。又胴体２１回りへの螺旋状の巻き付け回数は、例えば胴体２１の直径２．５ｃｍ、長さ１５ｃｍの場合で、１〜３回程度が安定している。
尚、突起部５５を間隔をおいて複数個設けた場合は車輪５の停止位置を細かく調整できる。
【００１５】
次に、図８をも参照して蔓植物栽培装置１による蔓植物栽培方法の第二例について説明する。前記蔓植物栽培方法の第一例と同様な構成は同一符号を用い詳細説明は省略する。 
図８では、栽培開始時として上流側に線状材Ｓ３ 、蔓植物苗木Ｔ１ 及び蔓植物栽培装置１を図示し、矢印Ｐ方向下流側に移動した二回目の栽培時は線状材Ｓ４ 、蔓植物Ｔ２ 及び蔓植物栽培装置１を図示してある。ここでも、茎状部ｔの起点と根本Ｕは図１と同様に図面明瞭化のため分離記載されている。
先ず栽培開始時においては、蔓植物栽培装置１はワイヤＷに吊り下げられ、支柱２の胴体２１がほぼ鉛直方向に懸垂状態に保持され、線状材Ｓ３ を解舒して、緩衝構成体として胴体２１回りに螺旋状に巻き付けた後、下降せしめて畝面Ｒに垂らし、蔓植物苗木Ｔ１ の蔓を線状材Ｓ３ に絡ませて成長させる。しかし前記蔓植物栽培方法の第１例と異なり線状材Ｓ３ は下降部分ｖ１ と上昇部分ｖ２ からなり、ボビン３から解舒された下降部分ｖ１ が下降し畝面Ｒの蔓植物の根本Ｕ近傍に達した後、ループ状に湾曲して上昇する上昇部分ｖ２ が胴体２１に沿ってボビン３に戻り巻付け部３１に２〜３回巻回して上端末を下降部分ｖ１ の上端末と連結し循環可能にしてある。そして蔓植物の蔓を線状材Ｓ３ の下降部分ｖ１ に固定し、上昇部分ｖ２ には固定を解除して栽培を行う。
次に適当な成長期間を経過し蔓植物の先端が胴体２１近傍に達し始めたとき前記同様に、車輪停止レバー７１の操作により、押圧片７１ｂと突起部５５との接触を解除すると、線状材Ｓ３ の下降部分ｖ１ を介し蔓植物の茎、蔓及び実の荷重でボビン３が回転開始し、ボビン３に直結している車輪５を転動せしめ、線状材Ｓ３ の解舒と車輪５の回転によるワイヤＷ上の転動が連動して起こる。そのとき、予め線状材Ｓ３ の上昇部分ｖ２ に蔓植物の蔓が付着したまま上昇しないよう上昇部分ｖ２ に移る畝面Ｒ近傍で固定を解除しおく。線状材Ｓ３ の下降部分ｖ１ と胴体２１との摩擦によって下降速度が緩和調整され、車輪５が丁度一回転した所で車輪５の回転を停止し、上流側の栽培開始時の位置から距離Ｘだけ下流側の二回目の栽培時の線状材Ｓ４ 、蔓植物Ｔ２ 及び蔓植物栽培装置１の位置に移動し、この位置に保持されて二回目の成長を促す。
蔓植物が成長して再び胴体２１近傍に達したとき、前記同様に線状材Ｓ４ 及び蔓植物Ｔ２ を下降し、蔓植物栽培装置１の位置を下流側に移動して成長を促し、以下順次同様作業を繰り返し、一年中ほぼ同じ高さで収穫することが可能である。
この蔓植物栽培方法第二例によれば、ボビン３と蔓植物の根本Ｕとの間を往復する程度の比較的短い長さの線状材ですみ、下降部分ｖ１ に蔓を固定し、上昇部分ｖ２ では固定を解除して循環することにより、線状材を反復使用可能である。これに対し第１例では、中間部分に比較的長い線状材ｓが必要であり全体として線状材の長さが長くなり、反復使用には制約がある。
【００１６】
次に図５、６を参照し、本発明の第二例の蔓植物栽培装置１０の構成を説明する。
蔓植物栽培装置１０は、支柱２′、ボビン３、保持具４、車輪５′、固着具６、車輪停止具７′及び線状材Ｓを有している。ここで、前記蔓植物栽培装置１と同様の構成要素は同一符号を用い詳細説明及び図示の一部を省略する。
支柱２′は、下方に緩衝構成体を形成する長手の中空円筒状の胴体２１′と、胴体２１′の上端に固着又は一体に成形された側面視略逆Ｕ字形の支持体２２′とからなっている。胴体２１′の上端部前側に切欠面２１′ｂが溝状に設けられ、この切欠面２１′ｂに支持体２２′の前側片２２ａが固着されている。胴体２１′の上端部後側には傾斜面２１′ａが設けられ、傾斜面２１′ａの下部に略水平方向の挿入孔に回動支点２１′ｃが埋設され、傾斜面２１′の中間部に上下に沿って回動支点２１′ｃと繋がって縦長スリット２１′ｄが穿設されている。又胴体２１′の下端部に前記胴体２１と同様のガイドスリット２１′ｅが穿設され、胴体２１′は少なくとも下部は中空部に形成されている。
支持体２２′は、前記蔓植物栽培装置１と同様前側片２２ａ及び後側片２２ｂが上端片２２ｃによって略逆Ｕ字形に形成され、摺動孔２２ｅ及び摺動孔２２ｄが穿設されているが、ここにはスリット２２ｆは穿設されていない。
車輪５′は、リム５１、フランジ５２、通し孔５３、及び細溝５４は前記車輪５と同様であるが、図７（ｂ）に示すとおり突起部５５′は前記突起部５５と異なる位置で、組立て状態での前側フランジの内面外周近傍位置に設けられている。尚突起部５５′は、前記突起部５５と同様に複数個設けてもよい。
車輪停止具７′は、車輪停止レバー７１′と、落下防止レバー７２′とよりなっている。車輪停止レバー７１′は、棒状本体７１′ａとその前面に突設される板状レバー７１′ｃと、板状レバー７１′ｃの下部に設けられた回動支点受け７１′ｂと、板状レバー７１′ｃの先端部に押圧片７１′ｄとを有し、車輪停止レバー７１′と落下防止レバー７２′とは下端末で略Ｖ字形に連結して一体で成形され、材料固有の反発力によりバネとして作用する。
ボビン３、保持具４、固着具６及び線状材Ｓは、前記蔓植物栽培装置１と同様であり説明を省略する。
固着具６は、前部を図７に示すごとく突出片６３、小突起６３ａを用いずに、ねじを切ってボルトで止めることとしてもよい。
【００１７】
次に、図５乃至７を参照して蔓植物栽培装置１０の組立てについて説明する。
ボビン３、保持具４、及び固着具６回りの組立は、蔓植物栽培装置１と同様であり省略する。
支柱２′の支持体２２′への保持具４及びボビン３の組立ては前記支持体２２に対するのと同様である。又車輪５′の組立ては、車輪停止具７′との取合いを除き前記車輪５と同様である。したがってボビン３、保持具４及び車輪５は一体で支持体２２′に保持されて回動可能となる。
支柱２′、車輪５′及び車輪停止具７′の組立てを説明する。支持体２２′の前側片２２ａ下端末を胴体２１′の切欠面２１′ｂに固着し、後側片２２ｂ下端末の下側には間隙をおいて傾斜面２１′ａがおかれる。次に傾斜面２１′ａの下部に車輪停止具７′を組立てるが、図７に示すとおり車輪停止レバー７１′の板状レバー７１′ｃを縦長スリット２１′ｄに挿入し回動支点２１′ｃを回動支点受け７１′ｂに嵌着せしめると共に、車輪停止レバー７１′と連結する落下防止レバー７２′を上向きに立上がらせ後側片２２ｂの下端前面の僅かな切欠面との間に渡らせる。これにより、車輪停止レバー７１′は下端末の指による押圧によって回動支点２１′ｃ回りに揺動可能となり、落下防止レバー７２′は中間部の指による押圧有無によって後側片２２ｂとの間に間隙有無を生じさせることが可能となる。ここで、車輪停止レバー７１′を指により押圧すると回動支点２１′ｃを支点として押圧片７１′ｄが後側に移動し車輪５′から離れ回転は妨げられないが、押圧していないときに突起部５５′の端に接した位置で車輪５′を回転不能に保持している。
【００１８】
次に、図５乃至７を参照して蔓植物栽培装置１０による蔓植物栽培方法について説明する。
蔓植物栽培方法は基本的には蔓植物栽培装置１の蔓植物栽培方法の第一例、第二例と同様で、蔓が成長して伸び胴体２１′近傍に達したとき、車輪停止レバー７１′の下端末を指によって押圧し回動支点２１′ｃ回りに回動させると押圧片７１′ｄによる突起部５５′との接触が解除されて、線状材Ｓ２ に加わる蔓植物の茎、蔓及び実の荷重でホビン３が回転開始し、ホビン３の回転による線状材Ｓ２ の解舒と車輪５′の回転によるワイヤＷ上の転動とが連動して起こる。丁度一回転した所で突起部５５′の端に押圧片７１′ｄが接した位置で車輪５′の回転を停止し、上流側の栽培開始時の位置から距離Ｘだけ下流側に移動し、蔓植物の先端が胴体２１′近傍に達するまでこの位置に保持される。
蔓植物栽培装置１０と前記蔓植物栽培装置１との相違点は、車輪停止具７′、７及びその車輪との関係であって、蔓植物栽培装置１はワイヤ及びレール上を転動、係止でき、蔓植物栽培装置１０はワイヤ上を転動、係止できることである。
【００１９】
次に、図９を参照して、本発明の蔓植物栽培装置の一部構成の変形３例を説明する。
変形３例は蔓植物栽培装置１、１０において、支柱２又は２′の胴体２１又は２１′回りを変形したもので、その他の構成要素は前記蔓植物栽培装置１又は１０と同様ものが用いられ、詳細説明は省略する。
（１）変形第一例
蔓植物栽培装置１の支柱２の胴体２１に代えて、支柱８Ａに緩衝構成体として中空円筒状の胴体８１を用い、胴体８１内部長手方向に螺旋状の中空パイプ８２が内臓されている。中空パイプ８２は弾性を有する金属又はプラスチック製である。支柱８Ａのその他の構成要素は、支柱２又は２′と同様である。
ボビン３から解舒された線状材Ｓを中空パイプ８２の上端より針金等を使って案内させて挿入し、螺旋に沿って下降せしめ胴体８１の下端末より下降させる。線状材Ｓの中空パイプ８２内面との摩擦と中空パイプ８２の弾性変形により、蔓植物の茎、蔓及び実の荷重によって生ずる線状材Ｓの急激な下降速度を緩和することができる。
ここで、中空パイプ８２は胴体８１外部表面に装着してもよく、このとき胴体８１は必ずしも中空円筒状でなくて、断面円形の中実としてもよい。
（２）変形第二例
支柱２の胴体２１に代えて、支柱８Ｂに緩衝構成体として中空円筒状の胴体８３を用い、胴体８３内部の上部に略水平軸をもった上部ローラ８４と、胴体８３下部に上部ローラ８４と平行する下部ローラ８５が配設され、上部ローラ８４は固定され、下部ローラ８５は移動可能とされ、上部ローラ８４と下部ローラ８５間にコイル状のばね８６が掛渡されている。支柱８Ｂのその他の構成要素は支柱２又は２′と同様である。ここで、胴体８３は線状材Ｓの仕掛作業のために、図示省略してあるが長手方向に二つ割りの切れ目を入れ内部を開閉可能としてあり、線状材Ｓを上部ローラ８４と下部ローラ８５間に仕掛けることができる。又胴体８３は必ずしも円筒状でなくて、例えば多角形や異形の筒状であってもよい。
ボビン３から解舒された線状材Ｓを胴体８３上端より挿入し、上部ローラ８４から下部ローラ８５に巻付けて胴体８３の下端末より下降させる。線状材Ｓの上部ローラ８４及び下部ローラ８５との摩擦とばね８６の介在により、蔓植物の茎、蔓及び実の荷重によって生ずる線状材Ｓの急激な下降速度を緩和することができる。
（３）変形第三例
支柱２の胴体２１に代えて、支柱８Ｃに緩衝構成体として中空円筒状の胴体８７を用い、胴体８７内部の上部に略水平軸をもった上部ローラ８８と、胴体８７下部に上部ローラ８８と平行する下部ローラ８９が配設され、上部ローラ８８及び下部ローラ８９はいずれも固定され、胴体８７は前記胴体８３と同様内部を開閉可能としてあり、支柱８Ｃのその他の構成要素は支柱２又は２′と同様である。又胴体８７は必ずしも円筒状でなくて、例えば多角形や異形の筒状であってもよい。
ボビン３から解舒された線状材Ｓを胴体８７上端より挿入し、上部ローラ８８から下部ローラ８９に巻付けて胴体８７の下端末より下降させる。線状材Ｓの上部ローラ８８及び下部ローラ８９との摩擦により、蔓植物の蔓及び実の荷重によって生ずる線状材Ｓの急激な下降速度を緩和することができる。
変形第一例乃至第三例の構成を備えた蔓植物栽培装置の蔓植物栽培方法は、前記した蔓植物栽培装置１及び１０について詳細説明したのと同様である。
【産業上の利用可能性】
【００２０】
本発明は各種の蔓植物栽培用途に有効に適用可能である。
【図面の簡単な説明】
【００２１】
【図１】本発明の蔓植物栽培装置第一例の使用状態を示す概略説明図である。
【図２】図１の蔓植物栽培装置の各構成要素の分解斜視図である。
【図３】図１の蔓植物栽培装置の組立斜視図で、（ａ）前側視、及び（ｂ）後側視の場合である。
【図４】図１の蔓植物栽培装置の組立図で、（ａ）側面一部断面図、及び（ｂ）裏面図、（ｃ）底面図である。
【図５】本発明の蔓植物栽培装置第二例の使用状態の一部を示す概略説明図である。
【図６】図５の蔓植物栽培装置の構成要素の一部の分解斜視図である。
【図７】図５の蔓植物栽培装置の組立図で、（ａ）側面図及び、（ｂ）裏面図である。
【図８】本発明の蔓植物栽培装置第一例の他の使用状態を示す概略説明図である。
【図９】本発明の蔓植物栽培装置第一例の胴体回りの変形３例を示す概略説明図で、（ａ）変形第一例、（ｂ）変形第二例、（ｃ）変形第三例である。
【符号の説明】
【００２２】
１、１０  蔓植物栽培装置
２、２′、８Ａ、８Ｂ、８Ｃ  支柱
２１、２１′、８１、８３、８７ 
胴体
２２、２２′ 
支持体
２２ｄ、２２ｅ 
摺動孔
２２ｇ 
係止フック
３  ボビン
３１ 
巻付け部
４  保持具
４１ 
中間板
４２ 
薄肉ドラム
４３、６３ 
突出片
４４ 
小ドラム
４５ 
短冊状羽
４６ 
軸部
４７ 
摺動部
５、５′  車輪
５１  リム        
５２ 
フランジ
５５、５５′突起部
６  固着具
６１ 
薄肉小ドラム
７、７′  車輪停止具
７１、７１′ 
車輪停止レバー
７１ｃ、７１′ｄ 
押圧片
７２ 
スプリング
７３、７２′ 
落下防止レバー
８２ 
中空パイプ
８４、８８ 
上部ローラ
８５、８９ 
下部ローラ
８６ 
ばね
Ｓ  線状材
Ｗ  ワイヤ
Ｒ  畝面
【図１】
2007282558.tif 000003
【図２】
2007282558.tif 000004
【図３】
2007282558.tif 000005
【図４】
2007282558.tif 000006
【図５】
2007282558.tif 000007
【図６】
2007282558.tif 000008
【図７】
2007282558.tif 000009
【図８】
2007282558.tif 000010
【図９】
2007282558.tif 000011